(57)【要約】拡張可能な構造の靴底、及びそのような靴底を有する履き物、並びにその組み立て方法。本発明は、前部が拡張可能な材料でできた履き物の靴底に関しており、異なった足幅にも容易にフィットできるようになっている。また、本発明はそのような靴底を有する履き物に関しており、そのような履き物を組み立てる方法に関する。該靴底は、拡張可能な部品２の出張り３が、靴底基部１の穴４の中へ密封するようにはまり込んで構成される。中底５は、その前部に変形可能な構造６を有する。上記のように構成された履き物を履いたとき、着用者の足が甲皮１０の縁に圧力をかけるので、これにより靴底が変形する。靴底のこの変形により、着用者の足は圧縮感を感じないで済む。本発明は、とりわけ、異なった足の解剖学的構造にも適合可能な履き物の製造を意図したものである。
2004524130.tif 000002
【特許請求の範囲】
【請求項１】
剛性靴底基部（１）が甲皮（１０）の縁に接着された靴の拡張可能な靴底であって、前記基部（１）は、下面に出張り（３）を有する横方向に拡張可能なインサート（２）を備え、前記インサート（２）は、形状記憶材料を成形することにより作られて前記基部（１）の上に注入により接着又は結合され、前記基部（１）の前部は、前記出張り（３）を収容して前記基部（１）と前記インサート（２）の間の密封性を確保する穴（４）を備えることを特徴とする拡張可能な靴底。
【請求項２】
前記基部（１）が耐摩耗性を有することを特徴とする請求項１記載の拡張可能な靴底。
【請求項３】
甲皮（１０）と、中底（５）と、ソックスライニング（８）と、拡張可能なインサート（２）とを含み、前記中底（５）は変形可能な前部（６）と剛性後部（７）とから構成されていることを特徴とする請求項１記載の拡張可能な靴底を有する履き物。
【請求項４】
前記中底（５）の変形可能な前部（６）を、該前部（６）の中に互いに平行に配置した靴長手方向に延長する複数のスリットによって得ていることを特徴とする請求項３記載の履き物。
【請求項５】
剛性靴底基部（１）と該基部（１）上に接着又は成形された拡張可能なインサート（２）を組み立てることにより、靴底の半組立品を作製する工程と、
変形可能な前部（６）と剛性後部（７）とからなる中底（５）を作製する工程と、
標準的形状の靴型を用いて甲皮（１０）を中底（５）に取り付けて接着する工程と、
靴底の前記半組立品に、取り付けられた前記甲皮（１０）を組み付ける工程と、
前記中底（５）の上面にソックスライニング（８）を設置する工程と、
からなることを特徴とする請求項１乃至請求項４のうちいずれか１項記載の拡張可能な靴底又は履き物の組み立て方法。
【発明の詳細な説明】
【技術分野】
【０００１】
本発明は異なった足幅（foot width）にも容易にフィットできるような靴底（sole）に関する。また、本発明はそのような靴底を有する靴に関しており、そのような靴を組み立てる方法に関する。
【背景技術】
【０００２】
通常、靴は、その製造業者によって選ばれた幅で製造される。この靴の幅は、着用者の足に対して、より大きかったり、小さかったりするが、予め決められているものである。靴の幅は、着用者の足幅に依存して変わるものではない。
【０００３】
従来、靴の上部を弾性的材料で作るなど、靴を何種類かの足幅に適合させる方法は知られているものの、靴底と接触する靴の下部を拡張させる（引き伸ばす）ことはできなかった。
【発明の開示】
【課題を解決するための手段】
【０００４】
本発明は、上記の問題を解決するものである。本発明の靴底は、足の前部に少なくとも一つの拡張可能（stretchable）な区域を有しており、これにより、着用したときに、製造された靴が、靴の下部において、着用者の足の解剖学的な幅にフィットする。
【０００５】
本発明の靴底においては、横方向に拡張可能（引き伸ばし可能）な前部が、靴底基部上に、必要とされる快適性に見合う弾性及び形状記憶を有して変形可能な構造をもつ材料でできた一個又は数個のインサート（insert）を成形（又は接着）することにより得られる。この拡張可能なインサートは、その上面が平坦であり、その下面には一個又は数個の出張り（lug）が設けられている。
【０００６】
これらの出張りは、靴底基部の中に沈むべく設置される。本発明の一実施形態において、この靴底基部は伝統的なタイプの材料、例えば、革、エラストマー、ゴム、ポリウレタンやその他、靴底製造に伝統的に用いられ、通常の耐摩耗性を有する材料からできている。
【０００７】
本発明の一実施形態において、靴底基部は、拡張可能な前記インサートの下面に設けられた出張りを収容する穴を備えており、靴底基部とインサートとの接触部の密封性を維持している。本発明の一実施形態においては、中底（insole）が、足の前部にある一個又は数個のカットアウト区域（cut-out zone）と、剛性の後部とから構成されている。中底の該前部のこの構造は、該前部の該区域の横方向の変形を可能にしている。
【０００８】
この中底については、別様の実施形態が可能である。すなわち、該前部の変形可能な部分を、靴長手方向に延長した複数のスリットを平行に配置して構成することもできる。また、別の実施形態においては、該前部の変形可能な部分を、一個又は数個の靴長手方向に延長した穴を設けることにより構成する。この場合、拡張可能な材料でできた一個又は数個のインサートを成形又は接着することにより、これらの靴長手方向に延長した穴は塞がれてもよいし、塞がれなくてもよい。
【０００９】
本発明は、上記した拡張可能な靴底を有する履き物にも関連する。本発明の一実施形態において、この履き物は、甲皮（upper）と、変形可能な前部と剛性後部を有する中底と、周囲が接着されていないソックスライニング（sock lining）と、本発明の前記した拡張可能なインサートとから構成される。
【００１０】
着用者が、上記のように構成された履き物をはいたとき、足が甲皮の縁に圧力をかけるので、中底と靴底が変形する。中底と靴底のこの変形により、着用者の足は圧縮感を感じないで済む。
【００１１】
この履き物の組み立て方法は、剛性後部と足の前部区域にある変形可能な部分とを有する中底を作製する工程を含む。標準的な幅の靴型を用いて、甲皮が該中底に取り付けられ、拡張可能なインサートを有する靴底に接着される。最後に、該中底が靴の内部に設置される。
【発明を実施するための最良の形態】
【００１２】
以下に、図面を参照して本発明の実施形態を説明するが、本発明はそのような実施形態に限定されない。
【００１３】
図１及び図２に示された靴底は、靴底基部１と、拡張可能な材料でできたインサート２とから構成され、靴底基部１とインサート２の間の密封性を確保するために、成形又は接着によって組み立てられている。拡張可能なインサート２の出張り３が、靴底基部１中に設けられた穴４の中に収容される。
【００１４】
本実施形態において、出張り３の穴４中への平行埋め込みは、各出張り３の弾性的特性を助長する。剛性の靴底基部と拡張可能なインサートからなるこの複合体により、伝統的なソルダリング（soldering）製造に十分適合するように構成された靴底が得られる。
【００１５】
図３は、変形可能な特性や拡張可能な特性をもつ構成部品の積み重ねを示している。剛性材料でできた靴底基部１は、その前部区域に設けられた穴４により変形可能になっている。
【００１６】
靴底基部１の穴４の中に収容される出張り３を有するインサート２は、拡張可能な密封性の接合部品である。中底５は、靴長手方向に延長したスリット６の存在により変形可能とされたその前部と、剛性の後部７とから構成される。
【００１７】
図４に示された実施形態においては、靴の組み立てが完了した後、どの段階であっても弾性が維持され得る構造となっている。接着区域９の外側において、靴底基部１とインサート２と中底５は拡張可能な特性を有する。
【００１８】
周囲が接着されていないソックスライニング８は、その下に在る各層が変形するのを妨げない。着用者の足の及ぼす圧力が甲皮１０の外縁にかかって、全体として、積み重ねられた拡張可能な層を変形させる。
【００１９】
一実施例として、インサートの出張りの寸法は、厚さが３．５ｍｍ程度で幅が７ｍｍ程度である。但し、これらの寸法は一例に過ぎない。これらの寸法は、靴のサイズや靴に要求される快適性に依って変わり得る。
【００２０】
上記の靴構造は着用者の歩行を快適にし、特に「敏感な足のアイテム」として適切である。しかしながら、上記の拡張可能な構造は、ソルダリング（soldering）又は他のタイプの履き物のほかに、他のタイプの組み立て品に対しても有用である。
【００２１】
本発明は、とりわけ、異なった足幅にも適合可能な靴の製造を意図したものである。
【図面の簡単な説明】
【００２２】
【図１】本発明の靴底を上方から見た図である。
【図２】本発明の靴底の靴長手方向の断面図であって、図１のＡ−Ａ断面図である。
【図３】本発明の靴底基部と弾性的なインサートと中底とを全体的に見た分解図である。
【図４】本発明の構成を有する靴の斜視図であって、一部を断面で示した図である。
【国際公開パンフレット】
2004524130.tif 000003
2004524130.tif 000004
2004524130.tif 000005
2004524130.tif 000006
2004524130.tif 000007
2004524130.tif 000008
2004524130.tif 000009
2004524130.tif 000010
2004524130.tif 000011
2004524130.tif 000012
【国際調査報告】
2004524130.tif 000013
2004524130.tif 000014
2004524130.tif 000015
2004524130.tif 000016
2004524130.tif 000017
2004524130.tif 000018